(57)【要約】【課題】ハンドル部の操作性を調整することが可能な回転操作部材を提供する。【解決手段】回転操作部材は、操作部本体１０と、ケース２１と、複数の粒状体２３と、を備えている。操作部本体１０は、使用者が把持するハンドル部１１、及びハンドル部１１を操作して軸回りに回転する回転軸部１２を有する。ケース２１は、回転軸部１２との間に収納空間Ｓを有して回転軸部１２を回転自在に保持する。複数の粒状体２３は、収納空間Ｓに収納されて回転軸部１２の外面及び前記ケース２１の内面に接触している。【選択図】図１
2019065502.tif 000002
【特許請求の範囲】
【請求項１】
使用者が把持するハンドル部、及び前記ハンドル部を操作して軸回りに回転する回転軸部を有する操作部本体と、
前記回転軸部との間に収納空間を有して前記回転軸部を回転自在に保持するケースと、
前記収納空間に収納されて前記回転軸部の外面及び前記ケースの内面に接触している複数の粒状体と、
を備えている回転操作部材。
【請求項２】
前記ケースに設けられた開口部に取り付けられ、前記ケースの内外両方向に移動して前記収納空間の大きさを変更する変更部材を備えている請求項１に記載の回転操作部材。
【発明の詳細な説明】
【技術分野】
【０００１】
本発明は、回転操作部材に関する。
【背景技術】
【０００２】
従来、ドアノブやオーディオ機器のボリュームのつまみ等に相当するハンドル部を操作して回転軸部を軸回りに回転させ、何らかの動作を行わしめる回転操作部材が知られている。例えば下記特許文献１に記載された回転操作部材は、ドアノブ（ハンドル部）を操作してドア軸（回転軸部）を回転させ、常にはドア枠に係合してドアの開きを防いでいるラッチボルトを退避させる。ラッチボルトが退避して、ドア枠との係合が解除され、ドアを開くことができる。ラッチボルトは、バネ部材によってドア枠に係合する方向に付勢されており、ドアノブは、バネ部材の弾性力に抗して操作される。
【先行技術文献】
【特許文献】
【０００３】
【特許文献１】特開２００３−２１３９７６号公報
【発明の概要】
【発明が解決しようとする課題】
【０００４】
しかしながら、上記のような構成では、回転軸部がバネ部材の付勢力で勢い良く戻り回転するため、ハンドル部が元の状態に戻る際、異音（ガチャ音）が発生することがある。
【０００５】
本発明は上記のような事情に基づいて完成されたものであって、質感を向上することが可能な回転操作部材を提供することを目的とする。
【課題を解決するための手段】
【０００６】
本発明の回転操作部材は、操作部本体と、ケースと、複数の粒状体と、を備えている。前記操作部本体は、使用者が把持するハンドル部、及び前記ハンドル部を操作して軸回りに回転する回転軸部を有する。前記ケースは、前記回転軸部との間に収納空間を有して前記回転軸部を回転自在に保持する。前記複数の粒状体は、前記収納空間に収納されて前記回転軸部の外面及び前記ケースの内面に接触している。
【０００７】
本発明によれば、回転軸部が回転するときに、回転軸部と粒状体との間及び粒状体どうしで摩擦力が生じ、摩擦力は、回転軸部の回転を抑える方向の力となって回転軸部に作用する。したがって、回転軸部が勢いよく回転することを防ぐことができ、異音の発生を抑制し、質感を向上することができる。
【０００８】
本発明の回転操作部材は、前記ケースに設けられた開口部に取り付けられ、前記ケースの内外両方向に移動して前記収納空間の大きさを変更する変更部材を備えているものとしてもよい。このような構成によれば、収納空間の大きさを変更して、粒状体による摩擦力を変更することができるから、ハンドル部の操作性を容易に調整することができる。
【図面の簡単な説明】
【０００９】
【図１】実施形態１に係る回転操作部材を示す断面図
【図２】実施形態２に係る回転操作部材を示す断面図
【図３】回転操作部材を示す断面図であって、図２のＡ−Ａ位置における断面に相当する断面図
【発明を実施するための形態】
【００１０】
＜実施形態１＞
以下、本発明を具体化した実施形態１について、図１を参照しつつ詳細に説明する。
本実施形態における回転操作部材１は、ドアノブ、家具のノブ、またはオーディオ機器のボリュームのつまみ等に相当するハンドル部１１と、ハンドル部１１を操作して軸回りに回転する回転軸部１２とを有する操作部本体１０と、回転軸部１２を支持する軸受２０とを備えている。ハンドル部１１は、回転軸部１２を回転操作する際に使用者が手で握るまたは指先でつまむ部分である。ハンドル部１１は、ブロック形状をなし、回転軸部１２は、円柱形状をなしている。回転軸部１２はハンドル部１１の中心から一方向に突出している。回転軸部１２とハンドル部１１とは、一体に設けられている。
【００１１】
軸受２０は、回転軸部１２を保持するケース２１と、回転軸部１２の外面に接触している複数の粒状体２３とを備えている。
ケース２１は、回転軸部１２の一部及び粒状体２３を内部に収容可能な箱形状をなし、回転軸部１２を回転自在な状態で保持している。ケース２１は、各種の物品（家具、ドアまたはオーディオ機器等）に固定される。
【００１２】
ケース２１は、回転軸部１２の回りを取り囲む筒状の第１壁部２４と、第１壁部２４の軸方向の両端開口を塞ぐ一対の第２壁部２５とを備えている。第１壁部２４は、回転軸部１２よりも一回り大きい円筒形状をなしている。第１壁部２４の内面（以後、第１壁面２６と称する）は、回転軸部１２の外面と平行をなして対向している。一対の第２壁部２５の内面（以後、第２壁面２７と称する）は、回転軸部１２の軸線に対して直角をなしている。
【００１３】
ケース２１には、回転軸部１２が貫通する貫通穴２８が形成されている。貫通穴２８は、回転軸部１２が回転自在な大きさであるとともに、貫通穴２８において回転軸部１２との間から粒状体２３が漏れ出さない大きさとされている。貫通穴２８は、一対の第２壁部２５に、同軸上に貫通形成されている。
【００１４】
ケース２１の内部（回転軸部１２との間）には、粒状体２３が収納される収納空間Ｓが設けられている。収納空間Ｓは、回転軸部１２の全周にわたり設けられている。収納空間Ｓは、ケース２１の内面（第１壁面２６及び一対の第２壁面２７）と回転軸部１２の外面とによって囲まれた空間である。
【００１５】
一対の第２壁部２５のうち一方の第２壁部２５（ハンドル部１１とは反対側に位置する第２壁部２５）は、収納空間Ｓの大きさを変更する変更部材２９とされている。変更部材２９は、回転軸部１２の軸方向に沿って移動可能とされている。
【００１６】
変更部材２９は、ケース２１に設けられた開口部３２に取り付けられている。開口部３２は、第１壁部２４の軸方向における一端側の開口であり、第１壁部２４及び他方の第２壁部２５（ハンドル部１１側に位置する第２壁部２５）とを有するケース本体３１の内部空間を外部に開放する。粒状体２３は、開口部３２からケース本体３１の内部空間に収められる。なお、開口部３２は、第１壁部２４の一端側の全面に開口して設けられている。
【００１７】
変更部材２９は、開口部３２に対して、回転軸部１２の軸方向に沿って移動可能に取り付けられている。変更部材２９は、ケース本体３１に対して着脱自在とされており、変更部材２９がケース本体３１に取り付けられた状態では、変更部材２９によって開口部３２が閉塞され、変更部材２９がケース本体３１から取り外された状態では、開口部３２の全体が開放される。
【００１８】
変更部材２９は、ケース本体３１の内側に挿入される挿入部３３と、ケース本体３１の外側に配される鍔部３４とを備えている。挿入部３３は、開口部３２に嵌合可能な軸状をなしている。開口部３２に挿入された挿入部３３の先端面は、収納空間Ｓに臨み、第２壁面２７を構成する。鍔部３４は、挿入部３３の軸方向における一端に設けられ、全周に突出している。鍔部３４は、ケース本体３１の外面に当接して、収納空間Ｓへの変更部材２９の過度の挿入を防ぐストッパ部として機能する。
【００１９】
変更部材２９に設けられた貫通穴２８は、対向する第２壁部２５の貫通穴２８と同じ大きさ（回転軸部１２が回転自在な大きさであるとともに、貫通穴２８から粒状体２３が漏れ出さない大きさ）とされている。貫通穴２８は、挿入部３３の中心に形成されている。
【００２０】
変更部材２９とケース本体３１とには、変更部材２９をケース２１の内外両方向に適宜移動可能であるとともに所定の位置に固定可能な固定構造３５が設けられている。固定構造３５は、螺合構造であり、変更部材２９及びケース本体３１の一方に設けられた雄ネジ部と、他方に設けられた雌ネジ部とを備えている。雄ネジ部は、変更部材２９の挿入部３３に設けられ、雌ネジ部は、ケース本体３１の開口部３２に設けられている。螺合構造が設けられているから、変更部材２９を回転して、収納空間Ｓへの挿入部３３の差し入れ量（突出量）を、適宜変更することができる。
【００２１】
収納空間Ｓには、多数の粒状体２３が収納されている。粒状体２３は、小さい粒子（例えば、粒径２ｍｍ程度）であり、収納空間Ｓの全体に均等に充填されている。粒状体２３は球形状をなす中実なものであり、すべてが同形状とされている。すべての粒状体２３の径寸法（大きさ）は同じとされている。粒状体２３は、弾性体であり、例えばエラストマ粒子とされている。粒状体２３は、ケース２１の内面（第１壁面２６及び一対の第２壁面２７）及び回転軸部１２の外面に密着している。
【００２２】
次に、本実施形態の回転操作部材１を、ドアラッチ装置に用いた場合の使用例を説明する。
ドアを開ける場合に、ハンドル部１１としてのドアノブを一方向に回転すると、回転軸部１２が回転する。このとき、回転軸部１２の外面に接している粒状体２３は、回転軸部１２とともに回転移動しようとするけれども、収納空間Ｓに充填されている粒状体２３は、隣接する粒状体２３間の摩擦力で自由な回転移動が拘束されている。このため、回転軸部１２が回転するときに回転軸部１２と粒状体２３との間に摩擦力が生じる。この摩擦力は、回転軸部１２の回転を抑える方向の力となって回転軸部１２に作用するため、ドアノブは重い手ごたえとなる。
【００２３】
ここで、ドアノブの回し心地が軽すぎる場合には、使用者に安っぽさを感じさせることがあるけれども、本実施形態の回転操作部材１によれば、回し心地に適度な重みが付与されて、高級感を創出することができる。こうして回転軸部１２が回転して、ラッチボルトが図示しない付勢部材を弾性変形させつつドア枠から退避し、ドアを開けることができる。
【００２４】
一方向に回転させたハンドル部１１から手を離すと、付勢部材の付勢力によりラッチボルトが元の位置に戻ろうとし、これに伴って回転軸部１２が他方向に戻り回転する。このとき、前述と同様、回転軸部１２が戻り回転するときに回転軸部１２と粒状体２３との間に摩擦力が生じ、この摩擦力は、回転軸部１２の戻り回転を抑える方向の力となって回転軸部１２に作用するため、回転軸部１２はゆっくり戻り回転する。
【００２５】
ここで、回転軸部１２が付勢部材の付勢力で勢い良く戻り回転する場合には、ハンドル部１１が元の状態に戻る際、異音（ガチャ音）が発生することがある。しかしながら、本実施形態では、回転軸部１２がゆっくり戻り回転するため、そのような音の発生を抑制することができ、高級感を創出することができる。
【００２６】
さらに、本実施形態の回転操作部材１は、粒状体２３による摩擦力を増減して、ハンドル部１１の回し心地を調整することができる。具体的には、例えば、粒状体２３の素材、大きさ、形状等を変えて、粒状体２３による摩擦力の大きさを変えることができる。また、変更部材２９の押し込み量を変えて、粒状体２３による摩擦力の大きさを変えることができる。すなわち変更部材２９の収納空間Ｓへの押し込み量を増して、収納空間Ｓを狭め、粒状体２３の弾性変形を大きくし（粒状体２３の弾性力を増し）、粒状体２３による摩擦力を高めることができる。また、変更部材２９の収納空間Ｓへの押し込み量を減じて、収納空間Ｓを広くし、粒状体２３による摩擦力を低減することができる。
【００２７】
次に、上記のように構成された実施形態の作用および効果について説明する。
本実施形態の回転操作部材１は、操作部本体１０と、ケース２１と、複数の粒状体２３と、を備え、操作部本体１０は、ハンドル部１１、及びハンドル部１１を操作して軸回りに回転する回転軸部１２を有し、ケース２１は、回転軸部１２との間に収納空間Ｓを有して回転軸部１２が回転自在な状態で操作部本体１０を保持し、複数の粒状体２３は、収納空間Ｓに収納されて回転軸部１２の外面に接触している。
【００２８】
この構成によれば、回転軸部１２が回転するときに回転軸部１２と粒状体２３との間に摩擦力が生じ、摩擦力は、回転軸部１２の回転を抑える方向の力となって回転軸部１２に作用するから、粒状体２３による摩擦力の大きさを調整して、ハンドル部１１の操作性（回し心地）を調整することができる。よって、官能評価で良好な結果を得ることができる。
【００２９】
また、回転操作部材１は、収納空間Ｓの大きさを変更する変更部材２９を備えている。この構成によれば、収納空間Ｓの大きさを変更して、粒状体２３による摩擦力を変更することができるから、ハンドル部１１の操作性を容易に調整することができる。
【００３０】
＜実施形態２＞
次に、本発明を具体化した実施形態２に係る回転操作部材４０を図２及び図３によって説明する。
本実施形態の回転操作部材４０は、変更部材４１が、回転軸部１２の軸方向に交差する方向に移動可能とされている点で、実施形態１とは相違する。なお、実施形態１と同様の構成には同一符号を付して重複する説明を省略する。
【００３１】
本実施形態の回転操作部材４０は、実施形態１と同様に、操作部本体１０と、ケース２１と、複数の粒状体２３と、変更部材４１と、を備えている。
変更部材４１は、第１壁部２４に設けられた開口部４２に取り付けられている。開口部４２は、第１壁部２４を壁厚方向に貫通している。
【００３２】
変更部材４１は、第１壁部２４及び第２壁部２５を有するケース本体３１の開口部４２に対して、開口部４２の貫通方向（回転軸部１２の軸方向に直交する方向）に移動可能に取り付けられている。変更部材４１は、実施形態１と同様、ケース本体３１に対して着脱自在とされている。
【００３３】
変更部材４１は、実施形態１と同様、ケース本体３１の内側に挿入される挿入部３３と、ケース本体３１の外側に配される鍔部３４とを備え、開口部４２に挿入された挿入部３３の先端面は、第１壁面２６の一部を構成する。
【００３４】
変更部材４１とケース本体３１とには、実施形態１と同様、変更部材４１をケース２１の内外両方向に適宜移動可能であるとともに所定の位置に固定可能な固定構造３５が設けられている。固定構造３５は、実施形態１と同様、螺合構造であり、変更部材４１を回転して、収納空間Ｓへの挿入部３３の差し入れ量（突出量）を、適宜変更することができる。
【００３５】
以上のように本実施形態においては、実施形態１と同様、操作部本体１０と、ケース２１と、複数の粒状体２３と、変更部材４１と、を備えているから、収納空間Ｓの大きさを変更して、粒状体２３による摩擦力の大きさを調整し、ハンドル部１１の操作性を容易に調整することができる。
【００３６】
＜他の実施形態＞
本発明は上記記述及び図面によって説明した実施形態に限定されるものではなく、例えば次のような実施形態も本発明の技術的範囲に含まれる。
（１）上記実施形態では、粒状体２３が弾性体とされているが、これに限らず、粒状体は弾性体でなくてもよく、例えば鋼球等であってもよい。
（２）上記実施形態では、変更部材２９（４１）の移動によって収納空間Ｓの大きさが変わるとされているが、これに限らず、例えば粒状体が弾性変形しないもの（鋼球等）である場合には、変更部材が移動しない（収納空間の大きさが変わらない）けれども、変更部材が粒状体を押圧する力を変えて、粒状体間に生じる力の大きさを変え、粒状体による摩擦力を変えることができる。
（３）上記実施形態では、粒状体２３が球形状とされているが、これに限らず、粒状体の形状は任意に変更することができる。また、粒状体の外面に凹凸形状を設けたり、摩擦力が高い材料をコーティングする等してもよい。
（４）上記実施形態では、粒状体２３は中実とされているが、これに限らず、粒状体は中空であってもよい。
（５）上記実施形態では、粒状体２３の粒径が等しくされているが、これに限らず、粒径の異なる粒状体が混在してもよい。
（６）上記実施形態では、回転軸部１２が円柱形状とされているが、これに限らず、回転軸部は、例えば角柱状であってもよい。
（７）上記実施形態では、固定構造３５の一例として螺合構造を示したが、これに限らず、固定構造は任意に変更することができ、例えば固定構造は、変更部材がケースの内方向に相対移動することを許容しつつ、外方向（抜け方向）に相対移動することを規制するようにしたラチェット構造等としてもよい。
（８）上記実施形態では、ケース２１の形状を例示したが、これに限らず、ケース２１の形状は任意に変更することができ、例えばケースは、四角い箱形状等としてもよい。
（９）上記実施形態では、ハンドル部１１の形状を例示したが、これに限らず、ハンドル部１１の形状は任意に変更することができ、例えばハンドル部は、回転軸部の一端から回転軸部に対して直角をなす方向に突出する棒形状等としてもよい。
（１０）上記実施形態では、回転操作部材１（４０）が一つの変更部材２９（４１）を備えているが、これに限らず、回転操作部材は、複数の変更部材を備えてもよい。
【符号の説明】
【００３７】
Ｓ…収納空間、１，４０…回転操作部材、１０…操作部本体、１１…ハンドル部、１２…回転軸部、２１…ケース、２３…粒状体、２９，４１…変更部材
【図１】
2019065502.tif 000003
【図２】
2019065502.tif 000004
【図３】
2019065502.tif 000005